(57)【要約】      （修正有）【課題】施設の構造物，機器類の日常点検を正確に行えるとともに関連する総てのデータを一元的に管理することのできる下水道等の施設管理支援システムを提供する。【解決手段】下水道等の集中管理施設等の管理支援システムであって、ホストサーバーに運転管理情報データベースと、保守・点検情報データベースと、改築・修繕情報データベースと、施設，機器類の台帳管理データベースと、施設，機器類の図書情報データベースとおよびデータ総合管理手段とを設け、該ホストサーバーに多数のタブレットコンピュータを接続し、該各タブレットコンピュータに点検施設の点検場所等を表示するマッピングと点検項目・点検事項を自動的に画面表示する表示入力手段を設け、該各タブレットコンピュータに次のマッピング表示を指示するモバイルタグを設けた下水道等の施設管理支援システムにある。【選択図】図１
0003117394.tif 000002
【実用新案登録請求の範囲】
【請求項１】
下水道等の集中管理施設と、その構造物・機器類の管理を支援するシステムであって、ホストサーバーとして該施設，機器類の日常運転記録データを記憶し検索可能とする運転管理情報データベースと、保守点検履歴に基づくデータを記憶し検索可能とする保守・点検情報データベースと、改築修繕履歴に基づくデータを記憶し検索可能とする改築・修繕情報データベースと、該施設，機器類台帳と耐用年数を記憶し検索可能とする施設，機器類の台帳管理データベースと、同、設計図書等のデータを記憶し検索可能とする施設，機器類の図書情報データベースとを備え、且つ前記各データベース内の各種データを用いて複合情報を取出してフィードバックするようにしたデータ総合管理手段を該ホストサーバーに設け、該ホストサーバーにインターネットを含む有線または無線にて携帯形の多数のタブレットコンピュータを接続し、該各タブレットコンピュータに点検施設の点検場所を画面表示するマッピングとマッピングに基づく点検項目と項目別の点検事項を自動的に画面表示する表示入力手段を設け、該各タブレットコンピュータに次のマッピング表示を指示するモバイルタグを上記施設の各個所に設けたことを特徴とする下水道等の施設管理支援システム。
【考案の詳細な説明】
【技術分野】
【０００１】
本考案は下水道等の集中管理施設とその機器類の管理支援システム、詳しくは施設，機器類の日常の運転記録、保守点検、改築修繕、設備台帳・各種設備の耐用年数、完成図書等の各データを一元的に管理するコンピュータと、各人が携帯するタブレットコンピュータにてネットワークを形成して日常点検業務を行えるようにした管理支援システムに関するものである。
【背景技術】
【０００２】
従来、下水道等の集中管理施設は、点検者が現場に赴いて点検して、点検終了後に管理センターに戻って点検簿に記録するようにしている。
【０００３】
近年では、特開２００２−２９７８１４号公報に示されるようにカメラやマイクを備えた携帯形のコンピュータにて、現場の状況を画像や音声にて管理センターに送信するようにすることもできるようになってきた。
【特許文献１】特開２００２−２９７８１４号公報
【考案の開示】
【考案が解決しようとする課題】
【０００４】
しかしながら、携帯形のコンピュータを使用した点検は、点検個所，点検項目等にばらつきが生じて正確な情報が伝わらず、管理センターのホストサーバー（メインコンピュータ）に個々に蓄積される点検結果等の膨大なデータを一元的に管理するシステムがないために点検情報などの判断・利用に時間がかかり運用過程にミスも生じやすいという課題があった。
【課題を解決するための手段】
【０００５】
本考案は、下水道等の集中管理施設と、その構造物・機器類の管理を支援するシステムであって、ホストサーバーとして該施設，機器類の日常運転記録データを記憶し検索可能とする運転管理情報データベースと、保守点検履歴に基づくデータを記憶し検索可能とする保守・点検情報データベースと、改築・修繕履歴に基づくデータを記憶し検索可能とする改築・修繕情報データベースと、該施設，機器類台帳と耐用年数を記憶し検索可能とする施設，機器類の台帳管理データベースと、同、設計図書等のデータを記憶し検索可能とする施設，機器類の図書情報データベースとを備え、且つ前記各データベース内の各種データを用いて複合情報を取出してフィードバックするようにしたデータ総合管理手段を該ホストサーバーに設け、該ホストサーバーにインターネットを含む有線または無線にて携帯形の多数のタブレットコンピュータを接続し、該各タブレットコンピュータに点検施設の点検場所を画面表示するマッピングとマッピングに基づく点検項目と項目別の点検事項を自動的に画面表示する表示入力手段を設け、該各タブレットコンピュータに次のマッピング表示を指示するモバイルタグを上記施設の各個所に設けて、かかる課題を解決するようにしたのである。
【考案の効果】
【０００６】
本考案は、メインコンピュータとしてのホストサーバーに管理に必要な各種データをそれぞれに蓄積する個々のデータベースと、各データベース内の各種データを用いて複合情報を取出し、フィードバックすることのできるデータ総合管理手段とを設け、またタブレットコンピュータに点検する施設の点検場所を画面表示するマッピングと点検項目と項目別の点検事項を自動的に画面表示する表示入力手段および次のマッピング表示を指示するモバイルタグを上記の施設の各個所に設けたので、日常の点検業務が熟練を要せずしてホストサーバーに素早く伝達されて能率が向上するという効果を生ずる。
【０００７】
ホストサーバーは各種のデータ間にまたがる複合情報を取出し得るようにして、該情報をフィートバックしてデータ情報を統一して効率的に利用することができるようにしたので、施設、構造物および機器類の管理を正確且つ迅速に支援することができるという効果を生ずる。
【考案を実施するための最良の形態】
【０００８】
本考案は、下水道等の処理場，ポンプ場などの集中管理施設と、その構造物・機器類の管理を支援するシステムであって、管理センターのホストサーバーとして該施設，機器類の日常の運転記録データを記憶し検索可能とする運転管理情報データベースと、施設・構造物・機器類の保守点検履歴に基づくデータを記憶し検索可能とする保守・点検情報データベースと、改築・修繕履歴に基づくデータを記憶し検索可能とする改築・修繕情報データベースと、該施設・構造物・機器類台帳と耐用年数を記憶し検索可能とする施設・機器類の台帳管理データベースと、同、設計図書等のデータを記憶し検索可能とする図書情報データベースを備え、且つ前記各データベース内の各種データを用いて複合情報を取出してフィードバックするようにしたデータ総合管理手段を該ホストサーバーに設け、該ホストサーバーにインターネットを含む有線または無線にて携帯形の多数のタブレットコンピュータを接続し、該各タブレットコンピュータに点検施設の点検場所を画面表示するマッピングとマッピングに基づく点検項目と項目別の点検事項を自動的に画面表示する表示入力手段を設け、該各タブレットコンピュータに次のマッピング表示を指示するモバイルタグを上記施設の各個所に設けることにより、日常点検の能率化，緊急時の対応，改築・修繕計画の立案等を一連作業にして正確且つ迅速に行えるようにしたのである。
【実施例１】
【０００９】
図１は本考案のシステム構築の１例を示すもので、管理センターのメインコンピュータとしてのホストサーバー１に下水道等の施設の機器類２ａの日常の運転記録データを記憶し検索可能とする運転管理情報データベース１ａ、機器類２ａ，コンクリート製・鉄骨製等の構造物等２ｂの保守点検履歴に基づくデータを記憶し検索可能とする保守・点検情報データベース１ｂと、改築・修繕を行った履歴のデータを記憶し検索可能とする改築・修繕情報データベース１ｃと、施設・構造物・機器類台帳と耐用年数のデータを記憶し検索可能とする施設・機器類の台帳管理データベース１ｄと、同、設計図書等のデータを記憶し検索可能とする図書情報データベース１ｅ、そして前記各データベース内の各種データを用いて複合情報として取出し、フィードバックして情報を統一化するようにしたデータ総合管理手段１ｆを設ける。１ｇはキーボード等の入力装置、１ｈはモニター等の表示装置、１ｉはプリンタ等の出力装置であり、外部記憶装置等その他の装置を接続して備えることもある。なおシステム構築時にそれまでの各種データを予め入力し蓄積するのである。
【００１０】
下水道等の施設を点検する複数の点検者の持つ小型携帯形のタブレットコンピュータ３は、点検する施設，構造物・機器類のデータを予め記憶しておき、またはインターネット回線６を介して管理センタ−のホストサーバー１よりデータを取込み可能とするが、インターフェイスによる直接接続にてもデータ移行ができるようになっている。タブレットコンピュータ３は、タッチパネル式の表示／入力画面３ａを有してタッチペン３ｂまたは指タッチにて画面表示を切替え、またＹｅｓ／Ｎｏなどの選択肢の選択、数字・文字等のタッチ入力により、項目別の点検事項をデータとして入力することができるものとなっている。
【００１１】
下水道等の処理場，ポンプ場などの集中管理施設４におけるコンクリート製・鉄骨製等の構造物２ｂ，機器類２ａの各個所またはその近傍にＩＣチップ等からなるモバイルタグ５を取付ける。モバイルタグ５は各施設・構造物・機器類の管理番号，点検順，所在コードなどを示す信号を発信し、タブレットコンピュータ３はその信号を受けて画面３ａ上に位置をマッピング表示する。マッピング表示に従って目的の機器類等に到達して表示画面を切替えるとモバイルタグ５のマッピングに基づいた自動表示機能により各機器類等に応じた点検項目と項目別の点検事項が自動的に画面表示されるので、点検者は点検事項に順じて点検をし、その結果を選択肢，数字または文字等にて同画面からタッチ入力し記憶保存するのである。点検終了後、管理センターのホストサーバー１にタブレットコンピュータ３を接続し保存した点検事項のデータを移行すると、既存のデータに新たなデータが付加されまたは書換えられると同時にこれらのデータはすべてのデータベース内の該当データにフィードバックして情報が統一化されて一元的に管理することができ、将来的な改築・修繕計画立案の基礎データとして至便に利用することができる。また過去のものから新しいデータによって自動生成された現在の設計図等の完成図書をいつでも瞬時に取出すことができる。
【００１２】
点検において異常発生が確認された緊急時にはタブレットコンピュータ３をインターネット回線６を利用したモバイル通信にてホストサーバー１と接続してデータを転送し、管理センターはその原因を調査して解明し、対処方針を検討の上、撤去，緊急保守，部品交換，修繕，改修，改築等の対策を講ずるのである。これらの緊急対応時に発生したすべてのデータもホストサーバー内に記憶し保管され、さらに各関連するデータフィードバックされるのである。
【産業上の利用可能性】
【００１３】
本考案のシステムは以上のようにして、施設に取付けたモバイルタグと連動して熟練を要せずして効率よく正確に施設の点検作業を進めることのできるタブレットコンピュータとホストサーバーに備えた施設に関する各種のデータベース間でデータ交換を行い、さらに新しいデータに基づく各データベース内の複合情報の取出しとフィードバックによる情報統一化の一連の作業および緊急時の対応迅速化を実現した画期的なシステムにより下水道等の施設管理を一元的に管理して支援することができるものである。
【図面の簡単な説明】
【００１４】
【図１】本願考案のシステムの一例を示す構成図
【図２】本願考案のステップを簡易に表示したフロー図
【符号の説明】
【００１５】
１はホストサーバー
１ａは運転管理情報データベース
１ｂは保守・点検情報データベース
１ｃは改築・修繕情報データベース
１ｄは施設，機器類の台帳管理データベース
１ｅは施設，機器類の図書情報データベース
１ｆはデータ総合管理手段
１ｇは入力装置
１ｈは表示装置
１ｉは出力装置
２ａは機器類
２ｂは構造物
３はタブレットコンピュータ
３ａは表示／入力画面
３ｂはタッチペン
４は集中管理施設
５はモバイルタグ
６はインターネット回線
【図１】
0003117394.tif 000003
【図２】
0003117394.tif 000004